(57)【要約】【課題】乗員が求める空調を推定して空調設定を変更可能な車両用空調システムを提供する。【解決手段】車両用空調システム１は、車両の車室内の空調制御を行う車両用空調システム１であって、車両の駐車位置を示す位置情報を取得する位置取得部６１と、車両の駐車位置周辺の周辺環境情報を取得する周辺環境取得部６２とを備えている。車両用空調システム１は、位置情報と周辺環境情報とに基づいて降車後に乗員が受けた負荷量を算出する負荷算出部６４を備えている。車両用空調システム１は、乗車後の空調制御において、負荷算出部６４で算出された負荷量が大きいほど駐車前の空調設定からの設定変更量を大きくする空調制御部６７を備えている。このため、乗員が求める空調を推定して空調設定を変更可能な車両用空調システム１を得ることができる。【選択図】図２
2019196035.tif 000002
【特許請求の範囲】
【請求項１】
車両（２）の車室内の空調制御を行う車両用空調システム（１）であって、
前記車両の駐車位置を示す位置情報を取得する位置取得部（６１）と、
前記車両の駐車位置周辺の周辺環境情報を取得する周辺環境取得部（６２）と、
前記位置情報と前記周辺環境情報とに基づいて降車後に乗員が受けた負荷量を算出する負荷算出部（６４）と、
乗車後の空調制御において、前記負荷算出部で算出された前記負荷量が大きいほど駐車前の空調設定からの設定変更量を大きくする空調制御部（６７）とを備えている車両用空調システム。
【請求項２】
前記負荷算出部は、前記位置情報から前記乗員の降車後の活動が屋外活動であるか否かを判断し、屋外活動であると判断した場合と屋外活動でないと判断した場合とにおいて、前記負荷量の算出方法を変更する請求項１に記載の車両用空調システム。
【請求項３】
前記負荷算出部は、前記車両の駐車位置があらかじめ設定された屋外活動領域内である場合には屋外活動であると判断し、それ以外の場合には屋外活動でないと判断する請求項２に記載の車両用空調システム。
【請求項４】
前記負荷算出部は、駐車時間が長いほど前記負荷量が大きくなるように補正する請求項１から請求項３のいずれかに記載の車両用空調システム。
【請求項５】
前記乗員の降車後の活動量情報を取得する個人情報取得部（６３）とを備え、
前記負荷算出部は、前記活動量情報のうち、前記乗員の降車後の活動位置に関する情報から屋外活動か否かの判断を補正する請求項１から請求項４のいずれかに記載の車両用空調システム。
【請求項６】
前記負荷算出部は、前記乗員の降車後の活動量が多いほど前記負荷量が大きくなるように補正する請求項５に記載の車両用空調システム。
【請求項７】
前記空調制御部は、前記空調制御部による空調設定の変更後、前記乗員によって空調設定が修正された場合には、前記乗員による空調設定の修正操作を記憶する請求項１から請求項６のいずれかに記載の車両用空調システム。
【請求項８】
前記周辺環境取得部は、花粉量情報を取得し、
前記空調制御部は、取得した花粉量があらかじめ設定された所定量以上である場合に、花粉モードで空調運転を行う請求項１から請求項７のいずれかに記載の車両用空調システム。
【請求項９】
前記空調制御部による設定変更を行う前に、前記乗員に対して空調設定の変更可否を確認する問い合わせ部（６６）を備え、
前記空調制御部は、前記問い合わせ部による問い合わせの結果、前記乗員によって設定変更が容認された場合には設定変更を行い、前記乗員によって設定変更が容認されなかった場合には設定変更を行わない請求項１から請求項８のいずれかに記載の車両用空調システム。
【発明の詳細な説明】
【技術分野】
【０００１】
この明細書における開示は、車両用空調システムに関する。
【背景技術】
【０００２】
特許文献１は、特定状況に対応する最適な設定を自動的に学習することが可能な車両用空調装置およびその制御方法を示している。車両用空調装置は、乗員が車両用空調装置を操作した場合に、その操作内容及びその操作時の各種情報を蓄積する。それにより、統計的学習処理を行って確率モデルを生成する。車両用空調装置は、生成した確率モデルを用いて車内の空調状態を最適化する。
【先行技術文献】
【特許文献】
【０００３】
【特許文献１】特開２００９−１３９２３１号公報
【発明の概要】
【発明が解決しようとする課題】
【０００４】
従来技術の構成では、空調状態の最適化に統計的学習処理による確率モデルを要する。このため、初めて行った場所などでは、確率モデルが生成できておらず車内の空調状態を最適化できない場合があった。上述の観点において、または言及されていない他の観点において、車両用空調システムにはさらなる改良が求められている。
【０００５】
開示される１つの目的は、乗員が求める空調を推定して空調設定を変更可能な車両用空調システムを提供することにある。
【課題を解決するための手段】
【０００６】
ここに開示された車両用空調システムは、車両（２）の車室内の空調制御を行う車両用空調システム（１）であって、車両の駐車位置を示す位置情報を取得する位置取得部（６１）と、車両の駐車位置周辺の周辺環境情報を取得する周辺環境取得部（６２）と、位置情報と周辺環境情報とに基づいて降車後に乗員が受けた負荷量を算出する負荷算出部（６４）と、乗車後の空調制御において、負荷算出部で算出された負荷量が大きいほど駐車前の空調設定からの設定変更量を大きくする空調制御部（６７）とを備えている。
【０００７】
開示された車両用空調システムによると、降車後に乗員が受けた負荷量が大きいほど駐車直前の空調設定からの設定変更量を大きくする空調制御部を備えている。このため、乗員が降車後に受けた負荷量が大きい場合に、空調運転の設定を大きく変更して乗員にとって適切な空調運転を提供しやすい。したがって、乗員が求める空調を推定して空調設定を変更可能な車両用空調システムを提供できる。
【０００８】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【０００９】
【図１】車両用空調システム１が使用される状態を示す図である。
【図２】車両用空調システム１の構成を示すブロック図である。
【図３】空調ＥＣＵ６０が実行する処理を示すフローチャートである。
【図４】負荷量に応じた空調設定の変更量を示す図である。
【図５】図３のフローチャートにおけるステップＳ１１０のフローチャートである。
【図６】外気温に応じた負荷量の補正値を示す図である。
【図７】日射量に応じた負荷量の補正値を示す図である。
【図８】天気の種類に応じた負荷量の補正値を示す図である。
【図９】風速に応じた負荷量の補正値を示す図である。
【図１０】運動強度に応じた負荷量の補正値を示す図である。
【図１１】第２実施形態における車両用空調システム１の構成を示すブロック図である。
【図１２】第２実施形態における空調ＥＣＵ６０が実行する処理を示すフローチャートである。
【発明を実施するための形態】
【００１０】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１１】
第１実施形態
図１において、車両用空調システム１は、車両２に搭載されている。車両用空調システム１は、冷房運転や暖房運転などの車両２の車室内の空調を行う装置である。車両用空調システム１は、車両２の現在位置を検出するために、広域通信網が備える基地局３と通信する機能を備えている。さらに、車両用空調システム１は、車両２の現在位置を検出するために、ＧＮＳＳ（Global Navigation Satellite System）が備える航法衛星４が送信する航法信号を受信する機能を備えている。ただし、基地局３と通信する機能および航法信号を受信する機能のいずれか一方のみを備えていてもよい。車両２は、自動車とも呼ばれるものであり、普通自動車、軽自動車などである。
【００１２】
基地局３は、例えば電話回線網などの広域通信網が備える基地局３である。基地局３は、各地に複数の基地局３が存在する。基地局３は、通信相手に基地局３の通信エリアを表す信号である基地局エリア信号を送信する。
【００１３】
車両用空調システム１が、この基地局エリア信号を受信すれば、車両２の現在位置は基地局エリア信号が表している通信エリア内であることが分かる。基地局３の通信エリアに関する情報は、車両２の駐車位置を示す位置情報を提供する。
【００１４】
航法衛星４は、航法信号を送信する。ＧＮＳＳは、たとえば、ＧＰＳ（Global Positioning System）であり、複数の航法衛星４が存在する。航法衛星４による航法信号の情報は、車両２の駐車位置を示す位置情報を提供する。
【００１５】
図２において、車両用空調システム１は、空調ユニット１０、内気センサ２１などの各種センサ、ＨＭＩ（Human Machine Interface）として機能するＨＭＩ部３０、無線部４０、記憶部５０、空調ＥＣＵ６０を備えている。
【００１６】
空調ユニット１０は、空調ＥＣＵ６０で制御される送風機、空調風の風路を切り替えるドアとして機能するダンパ、冷媒の流れを制御する弁装置などを備えている。空調ユニット１０は、冷熱や温熱を提供する熱源として冷凍サイクルを用いて空気の温度を調整して、車室内に空調風を吹き出すことで空調運転を行うユニットである。ただし、熱源として機能するペルチェ素子などを用いて冷凍サイクルを用いずに空調運転を行うユニットでもよい。
【００１７】
空調ユニット１０は、冷房運転時には乗員の顔の付近に風を送るため、風の吹き出し口をフェース吹き出し口に設定する。一方、暖房運転時には乗員の足元に風を送るため、風の吹き出し口をフット吹き出し口に設定する。空調ユニット１０は、外気導入モードと内気循環モードとを備えている。外気導入モードは、外気を空調ユニット１０の内部に取り込んで熱交換器と熱交換させることで空調風として利用するモードである。内気循環モードは、空調風として流れた内気を再び空調ユニット１０の内部に取り込んで熱交換器と熱交換させることで空調風として再利用するモードである。
【００１８】
車両用空調システム１は、車室内の空調をするために必要な情報を検出する種々のセンサを備える。具体的には、内気センサ２１、外気センサ２２、日射センサ２３を備えている。その他に、湿度を測定する湿度センサや風速を測定する風速センサなどを備えていてもよい。また、各種のセンサを複数備えて、車両２の異なる位置における情報を取得してもよい。
【００１９】
内気センサ２１は、インストルメントパネルなどに取り付けられて、車室内の温度である内気温を検出する。外気センサ２２は、コンデンサの前面などに取り付けられて、車室外の温度である外気温を検出する。日射センサ２３は、インストルメントパネル上部などに取り付けられており、日射量を検出する。これらのセンサが検出した検出値は空調ＥＣＵ６０に出力される。
【００２０】
ＨＭＩ部３０は、車両２の乗員が車両用空調システム１に対して操作を入力し、かつ、車両用空調システム１が乗員に対して種々の情報を報知する部分である。ＨＭＩ部３０は、具体的には、スピーカ３１、表示装置３２、操作部３３を備えている。
【００２１】
スピーカ３１は、車室内に向けて音を出力する位置に設けられている。表示装置３２は、車室内において車両２の運転者が視認可能な位置に設置されており、表示画面を備えている。操作部３３は、インストルメントパネルなどに設けられたスイッチであり、車両用空調システム１を操作するために乗員が操作する。このスイッチは、メカニカルスイッチでもタッチスイッチでもよい。
【００２２】
無線部４０は、車両２の外部と無線通信を行う部分であり、ＧＮＳＳ受信部４１と無線通信部４２とを備えている。ＧＮＳＳ受信部４１は、航法衛星４が送信する航法信号を受信し、受信した航法信号に基づいて現在位置を逐次算出する。この現在位置は、緯度と経度で表される。ＧＮＳＳ受信部４１は、算出した現在位置を空調ＥＣＵ６０に出力する。無線通信部４２は、基地局３と通信をして、前述した基地局エリア信号を受信する。
【００２３】
また、無線通信部４２は、乗員が所持している携帯端末などの活動量計９９とも通信が可能である。活動量計９９は、例えば加速度センサなどのセンサを備えた装置であって、活動量計９９を所持した状態で所持者が行った運動の激しさや運動時間などを計測して記録する機器である。車両２の鍵に活動量計９９の機能を備えてもよい。また、無線通信部４２は、基地局３を介して情報処理や情報記憶を行うサーバとも通信可能である。
【００２４】
記憶部５０は書き込み可能になっており、負荷算出部６４が負荷算出を行う際に用いる屋外活動領域情報が記憶されている。屋外活動領域情報とは、車両２の駐車位置から乗員が降車後に行う活動が屋外活動かそうでないかを判断するための情報である。記憶部５０に記憶されている屋外活動領域情報は、乗員の操作によって更新可能である。すなわち、屋外活動領域に設定されていなかった位置を屋外活動領域に設定し直すことが可能である。また、屋外活動領域に設定されていた位置を屋外活動領域ではない位置として設定し直すことが可能である。記憶部５０に記憶されている屋外活動領域情報は、無線部４０を用いた通信によって情報が更新可能である。
【００２５】
空調制御部６７で空調制御を行うための設定である空調設定には、ＴＡＯ算出式が含まれる。その他に、ＴＡＯと風量レベルとの関係、ＴＡＯとダンパ開度との関係、ＴＡＯと吹き出し口位置との関係などが空調設定に含まれる。
【００２６】
ＴＡＯ算出式は、式１に示す式である。ＴＡＯは、必要吹き出し温度（Temperature Air Output）であり、ＴＡＯ算出式は吹き出し温度の算出式である。空調制御部６７は、ＴＡＯに基づいて空調制御を行う。すなわち、算出されたＴＡＯに基づいて、冷熱源である冷却器と加熱源であるヒータコアとのそれぞれの熱交換器に対して、送風空気をどの程度の割合で熱交換させるかを制御する。言い換えると、空調制御部６７は、空調ユニット１０の一部をなすエアミックスドアの開度などを制御することとなる。
【００２７】
式１において、ＴＳＥＴは設定温度であり、乗員が設定する。ＴＲは内気温、ＴＡＭは外気温、ＴＳは日射量であり、それぞれ内気センサ２１、外気センサ２２、日射センサ２３が検出する。ΔＴ、Ｃは温度補正定数であり、Ｅ、Ｆ、Ｇ、Ｈは係数である。
（式１）  ＴＡＯ＝Ｅ×（ＴＳＥＴ＋ΔＴ）−Ｆ×ＴＲ−Ｇ×ＴＡＭ−Ｈ×ＴＳ＋Ｃ
空調ＥＣＵ６０は、ＣＰＵ、ＲＯＭ、ＲＡＭ等を備えたコンピュータである。ＣＰＵは、ＲＡＭの一時記憶機能を利用しつつ、ＲＯＭなどの非遷移的実体的記録媒体(non-transitory tangible storage medium)に記憶されているプログラムを実行する。これにより、空調ＥＣＵ６０は、車両２の駐車位置を取得する位置取得部６１として機能する。また、空調ＥＣＵ６０は、外気温や日射量などの車両２の周辺環境に関する周辺環境情報を取得する周辺環境取得部６２として機能する。また、空調ＥＣＵ６０は、乗員の降車後における活動量などの情報を取得する個人情報取得部６３として機能する。また、空調ＥＣＵ６０は、取得した情報から乗員が降車後に受けた負荷量を算出する負荷算出部６４として機能する。また、空調ＥＣＵ６０は、算出された負荷量に応じて適切な空調設定の変更量を算出する空調変更算出部６５として機能する。また、空調ＥＣＵ６０は、空調設定の変更の可否を乗員に問い合わせる問い合わせ部６６として機能する。また、空調ＥＣＵ６０は、空調設定に基づいて空調ユニット１０の制御を行う空調制御部６７として機能する。これらの機能を実行すると、プログラムに対応する方法が実行される。
【００２８】
空調ＥＣＵ６０をなす制御システムが提供する手段および／または機能は、実体的なメモリ装置に記録されたソフトウェアおよびそれを実行するコンピュータ、ソフトウェアのみ、ハードウェアのみ、あるいはそれらの組合せによって提供することができる。例えば、制御装置がハードウェアである電子回路によって提供される場合、それは多数の論理回路を含むデジタル回路、またはアナログ回路によって提供することができる。
【００２９】
制御システムは、制御装置に入力される情報を示す信号を供給する複数の信号源を入力装置として有する。制御システムは、制御装置が情報をメモリ装置に格納することにより、情報を取得する。制御システムは、制御装置によって挙動が制御される複数の制御対象物を出力装置として有する。制御システムは、メモリ装置に格納された情報を信号に変換して制御対象物に供給することにより制御対象物の挙動を制御する。
【００３０】
制御システムに含まれる制御装置と信号源と制御対象物とは、多様な要素を提供する。それらの要素の少なくとも一部は、機能を実行するためのブロックと呼ぶことができる。別の観点では、それらの要素の少なくとも一部は、構成として解釈されるモジュール、またはセクションと呼ぶことができる。さらに、制御システムに含まれる要素は、意図的な場合にのみ、その機能を実現する手段ともよぶことができる。
【００３１】
図３に示すフローチャートは、空調ＥＣＵ６０が実行する処理を示すフローチャートである。このフローチャートに示す処理は、例えば、降車後の活動を終えた乗員が乗車後にイグニッションキーの操作によって車両２の運転がオンになった場合に開始する。
【００３２】
ステップＳ１０１では、位置情報を取得する。ここで、位置情報とは、車両２が駐車されている場所を示す情報である。位置情報は、例えば、商業施設の駐車場やキャンプ場の駐車場などといった情報である。あるいは、緯度と経度とから決まる座標として位置情報を取得してもよい。位置情報は、位置取得部６１がＧＮＳＳ受信部４１や無線通信部４２との通信によって取得する。位置情報の取得後、ステップＳ１０２に進む。
【００３３】
ステップＳ１０２では、外気センサ２２や日射センサ２３などのセンサから周辺環境情報を取得する。周辺環境情報とは、車両２の駐車位置周辺における外気温や日射量や天気の種類や風の強さなどの情報である。ここで、車両２が一日中駐車されている場合などには、外気温などの周辺環境情報が時間経過とともに大きく変化する。この場合、直近の１時間における平均値を周辺環境情報として取得する。例えば、外気温が１時間の間に一定の速度で３０℃から３２℃まで上昇した場合には、平均値として外気温を３１℃とみなす。ただし、直近の１時間における平均値ではなく、直近の値のみを取得するようにしてもよい。例えば、外気温が一定の速度で３０℃から３２℃まで上昇した場合には、直近の値として外気温を３２℃とみなす。
【００３４】
また、周辺環境情報の取得は車両２に搭載されている外気センサ２２や日射センサ２３を用いなくてもよい。例えば、駐車されている位置における外気温や天気や風速といった情報を無線通信部４２による通信によってインターネット経由で取得するようにしてもよい。あるいは、車両２に搭載されているセンサから取得できる周辺環境情報はセンサから取得し、センサから取得できない周辺環境情報は無線通信部４２を用いた通信によって取得するなどしてもよい。周辺環境情報を取得した後、ステップＳ１０３に進む。
【００３５】
ステップＳ１０３では、個人情報の１つとして活動量情報を取得する。活動量情報とは、車両２の乗員が降車後において行った活動の量を示す情報である。活動量情報は、例えば、活動量計９９から取得した運動強度と運動を行った時間の情報である。ただし、活動量情報としては、運動強度ではなく消費した熱量を取得するなどしてもよい。また、個人情報の１つとして、活動を行った活動位置を取得してもよい。すなわち、屋根のないグラウンドで活動しているか、屋根のある体育館で活動しているかといった車両２の駐車位置を示す位置情報よりも活動位置を詳細に示す情報を取得してもよい。
【００３６】
また、活動量計９９から活動量情報が取得できない場合には、位置情報から運動強度を推定するようにしてもよい。例えば、ゴルフ場の駐車場に駐車されている場合には、ゴルフを行っていると判断して運動強度を４メッツとみなすなどしてもよい。活動量を取得した後、ステップＳ１１０に進む。
【００３７】
ステップＳ１１０では、負荷量を算出する。負荷量とは、乗員が降車後に行った活動や車室外の天候によって感じる熱的な負荷の値である。プラスの負荷量が大きい場合には、降車後の活動の結果、暑いと感じていると推定できる状態である。この状態では、車室内の温度を通常時に比べて冷えた状態とすることを求めていると推定できる。一方、マイナスの負荷量が大きい場合には、降車後の活動の結果、寒いと感じていると推定できる状態である。ここで、負荷量がマイナスの場合には、負荷量の絶対値が大きい場合を負荷量が大きいと評価する。すなわち、負荷量の値が−１よりも−２の方が絶対値が大きく、負荷量が大きい状態であると判断する。負荷量がマイナスの状態では、車室内の温度を通常時に比べて暖かい状態とすることを求めていると推定できる。負荷量の算出方法の詳細については、後に説明する。負荷量を算出した後、ステップＳ１２１に進む。
【００３８】
ステップＳ１２１では、空調設定の変更量を算出する。図４は、負荷量Ａｂに応じた空調設定の変更量を示している。乗員が暑いと強く感じていると推定される負荷量が５以上の場合には、空調設定の温度を直前の設定温度から５℃下げる変更と風量レベルを最大にする変更が選択される。一方、乗員が寒いと強く感じていると推定される負荷量が−５未満である場合には、空調設定の温度を直前の設定温度から５℃上げる変更と風量レベルを最大にする変更が選択される。また、負荷量が−１以上１未満の場合には、空調設定を変更しないことが選択される。その他の負荷量に応じた空調設定の変更量は、図に示す通りである。ただし、負荷量に応じた空調設定の変更量はあくまで例示であって、上述の値に限られない。空調設定の変更量を算出した後、ステップＳ１２２に進む。
【００３９】
図３において、ステップＳ１２２では、空調設定の変更量があるか否かを判断する。すなわち、空調設定の変更量に関して、温度と風量レベルとの両方の設定に関して変更なしが選択されている場合には、空調設定を変更する必要がないと判断してステップＳ１２５に進む。一方、空調設定の変更量に関して、温度と風量レベルとの少なくともどちらかの設定に関して変更が選択されている場合には、空調設定を変更する必要があると判断してステップＳ１２３に進む。
【００４０】
ステップＳ１２３では、空調設定の変更許可があるか否かを判断する。すなわち、乗員に対して、実際に空調設定の変更を行うか否かを問い合わせるとともに、問い合わせ結果を確認する。問い合わせにおいては、スピーカ３１や表示装置３２や乗員が所持している携帯端末などを用いて具体的にどのような設定変更を行う予定かを報知する。乗員は、問い合わせに対して操作部３３を操作することで空調設定の変更を許可するか否かを選択する。ただし、空調設定の変更について乗員が毎回許可するか否かを選択するのではなく、常に変更を許可するように設定するなどしてもよい。問い合わせの結果、乗員によって空調設定の変更が許可された場合にはステップＳ１２４に進む。一方、乗員によって空調設定の変更が許可されなかった場合にはステップＳ１２５に進む。
【００４１】
ステップＳ１２４では、空調設定の変更ありの状態で空調制御を実行する。例えば、駐車前の空調設定において、設定温度が２０℃で風量レベルが１であり、空調設定の変更量が設定温度を−２℃、風量レベルを＋１する変更であった場合には、設定温度が１８℃、風量レベルが２の空調設定で空調運転を行うこととなる。その後、乗員による空調設定の修正操作が行われるまでの間、空調設定の変更がなされたままの状態で空調制御を維持する。一方、ステップＳ１２５では、空調設定の変更なしの状態で空調制御を実行する。すなわち、駐車前の空調設定と同じ空調設定で空調運転を行う。
【００４２】
空調設定の変更ありの状態で乗員による空調設定の修正操作が行われた場合、乗員による変更制御の内容を学習するようにしてもよい。すなわち、乗員による修正操作が風量レベルを下げる修正操作であった場合には、負荷量に応じた空調設定の変更量において、風量レベルの増加量を低減するように負荷量と風量レベルとの対応関係を変更する。これにより、次回以降の負荷量に応じた風量レベルの変更量を乗員の好みにより近い設定とすることができる。目標温度についての修正操作が行われた場合についても同様に、負荷量と温度との対応関係を変更する。これにより、次回以降、同じ負荷量となった場合に、乗員による修正操作なしで乗員の好みに応じた空調設定を実現しやすい。
【００４３】
負荷量の算出方法の詳細について以下に説明する。図５において、ステップＳ１１１では、乗員の降車後における活動が屋外活動であるか否かを判断する。屋外活動か否かの判断は、車両２が駐車されている位置情報と記憶部５０に記憶されている屋外活動領域情報とから判断する。すなわち、車両２が駐車されている現在位置が屋外活動領域の範囲内であれば、降車後の活動は屋外活動であると判断する。一方、車両２が駐車されている現在位置が屋外活動領域の範囲外であれば、降車後の活動は屋外活動ではなく屋内活動であると判断する。
【００４４】
屋外活動領域に分類されるのは、例えばキャンプ場やゴルフ場などの屋外型のレジャー施設の駐車場である。あるいは、山の中や海辺などであって周囲に建物が存在しない領域を屋外活動領域に分類してもよい。あるいは、自宅や図書館や商業施設などの周囲を屋内活動領域に設定して、屋内活動領域に設定されていない領域を全て屋外活動領域とみなすなどしてもよい。
【００４５】
また、車両２の駐車位置を示す位置情報に加えて、活動量計９９から降車後の活動位置を示す情報を取得した場合には、活動位置が屋外活動領域内か否かによって、屋外活動であるか否かの判断を行ってもよい。これによると、屋外活動か否かの判断の精度を高めることができる。屋外活動であると判断した場合には、ステップＳ１１２に進む。一方、屋外活動ではないと判断した場合にはステップＳ１１６に進む。
【００４６】
ステップＳ１１２では、外気温に応じた負荷量の補正値を算出する。図６は、外気温ＴＡＭに応じた負荷量の補正値を示している。外気温が３５℃以上である場合には、非常に外気温が高く暑く感じやすい状態であると判断して負荷量に３．０の値を加える。一方、外気温が−５℃未満である場合には、非常に外気温が低く寒く感じやすい状態であると判断して負荷量に−３．０の値を加える。また、外気温が１０℃以上２５℃未満である場合には、過ごしやすい状態であると判断して負荷量には補正を加えない。その他の外気温に応じた負荷量の補正値は、図に示す通りである。ただし、負荷量の補正値はあくまで例示であって、上述の値に限られない。例えば、特定の温度領域に応じて補正値を設定するのではなく、基準となる外気温からの差を補正値とするなど、外気温に応じて補正値を算出するようにしてもよい。外気温に応じた負荷量の補正値を算出した後、ステップＳ１１３に進む。
【００４７】
ステップＳ１１３では、日射量に応じた負荷量の補正値を算出する。図７は、日射量ＴＳに応じた負荷量の補正値を示している。日射量が４ＭＪ／ｍ２以上である場合には、非常に日射量が多く暑く感じやすい状態であると判断して負荷量に１．５の値を加える。一方、日射量が２ＭＪ／ｍ２未満である場合には、日射量が少なく過ごしやすい状態であると判断して負荷量には補正を加えない。その他の日射量に応じた負荷量の補正値は、図に示す通りである。ただし、負荷量の補正値はあくまで例示であって、上述の値に限られない。日射量に応じた負荷量の補正値を算出した後、ステップＳ１１４に進む。
【００４８】
ステップＳ１１４では、天気の種類に応じた負荷量の補正値を算出する。図８は、天気の種類に応じた負荷量の補正値を示している。天気が晴れである場合には、暑く感じやすい状態であると判断して負荷量に０．５の値を加える。一方、天気が雪である場合には、寒く感じやすい状態であると判断して負荷量に−１．０の値を加える。また、天気が曇りの場合には、過ごしやすい状態であると判断して負荷量には補正を加えない。その他の天気に応じた負荷量の補正値は、図に示す通りである。ただし、負荷量の補正値はあくまで例示であって、上述の値に限られない。天気の種類に応じた負荷量の補正値を算出した後、ステップＳ１１５に進む。
【００４９】
ステップＳ１１５では、風速に応じた負荷量の補正値を算出する。図９は、風速Ｖｗに応じた負荷量の補正値を示している。風速が２ｍ／ｓ未満である場合には、風が弱く過ごしやすい状態であると判断して負荷量には補正を加えない。一方、風速が１５ｍ／ｓ以上である場合には、風が非常に強く吹いており、寒く感じやすい状態であると判断して負荷量に−１．５の値を加える。その他の風速に応じた負荷量の補正値は、図に示す通りである。ただし、負荷量の補正値はあくまで例示であって、上述の値に限られない。風速に応じた負荷量の補正値を算出した後、ステップＳ１１６に進む。
【００５０】
ステップＳ１１６では、運動強度に応じた負荷量の補正値を算出する。図１０は、運動強度Ａｍに応じた負荷量の補正値を示している。運動強度が１０メッツ以上である場合には、非常に激しい運動を行っており、暑く感じやすい状態であると判断して負荷量に３．０の値を加える。一方、運動強度が２メッツ未満である場合には、軽い運動を行っている程度であり、過ごしやすい状態であると判断して負荷量には補正を加えない。その他の運動強度に応じた負荷量の補正値は、図に示す通りである。ただし、負荷量の補正値はあくまで例示であって、上述の値に限られない。運動強度に応じた負荷量の補正値を算出した後、ステップＳ１１７に進む。
【００５１】
ステップＳ１１７では、負荷量の算出を行う。負荷量の算出においては、降車後の活動を屋外活動であると判断するか、屋外活動ではないと判断するかによって負荷量の算出方法が異なる。
【００５２】
降車後の活動が屋外活動であると判断した場合には、外気温と日射量と天気の種類と風速と運動強度とに応じて負荷量の補正値を算出する。例えば、外気温が２８℃、日射量が２．５ＭＪ／ｍ２、天気が晴れ、風速が３ｍ／ｓである場合、外気温に基づく負荷量の補正値は、１．０である。また、日射量に基づく負荷量の補正値は、０．５である。また、天気の種類に基づく負荷量の補正値は、０．５である。また、風速に基づく負荷量の補正値は、−０．２である。さらに、乗員が、降車後に運動強度が５メッツの活動を行った場合には、運動強度に基づく負荷量の補正値は、１．０である。したがって、全ての負荷量の補正値を足し合わせた合計は、２．８である。
【００５３】
負荷量は、この補正値の合計に対して降車時間を１時間で割った値を掛けることで算出する。例えば、降車時間が１時間３０分であれば、負荷量の補正値の合計を１．５倍した値が負荷量となる。例えば、降車時間が３０分であれば、負荷量の補正値の合計を０．５倍した値が負荷量となる。したがって、負荷量の補正値の合計が２．８であり、降車時間が１時間３０分である場合の負荷量は、２．８の１．５倍である４．２と算出することができる。
【００５４】
降車後の活動が屋外活動でないと判断した場合には、運動強度に応じて負荷量の補正値を算出する。すなわち、外気温などの屋外の環境によらずに負荷量を算出する。乗員が、降車後に運動強度が３メッツの活動を行った場合には、運動強度に基づく負荷量の補正値は、０．５である。運動強度以外に加味すべき負荷量の補正値が存在しないため、負荷量の補正値の合計は０．５である。
【００５５】
負荷量は、この補正値の合計に対して降車時間を１時間で割った値を掛けることで算出する。例えば、降車時間が１時間３０分であれば、負荷量の補正値の合計を１．５倍した値が負荷量となる。例えば、降車時間が３０分であれば、負荷量の補正値の合計を０．５倍した値が負荷量となる。したがって、負荷量の補正値の合計が０．５であり、降車時間が１時間３０分である場合の負荷量は、０．７５と算出することができる。ただし、降車時間が非常に長い場合には、負荷量が大きくなりすぎてしまうため、倍率に上限を設けてもよい。例えば、倍率の上限を３倍とした場合には、降車時間が８時間であった場合であっても、負荷量の補正値を８倍するのではなく、倍率の上限である３倍して負荷量を算出することとなる。
【００５６】
負荷量を算出する際に、外気温のような周辺環境情報に依存する補正値と、運動強度のような個人情報に依存する補正値とを考慮したが、個人情報に依存する補正値としてベース値を含めてもよい。ベース値とは、個人ごとに設定する値であって、例えば暑さを感じやすい人であれば、ベース値を１．０とする。一方、寒さを感じやすい人はベース値を−１．０とする。また、特に暑さや寒さを感じやすいわけではない人はベース値を０とする。ここで、乗員によって設定されているベース値が異なる可能性があるため、車内の乗員をカメラで見分けて個人を特定した上で乗員のベース値を読み出すようにしてもよい。
【００５７】
ベース値をあらかじめ設定した状態で負荷量の算出を行う場合には、ベース値と負荷量の補正値の合計に対して降車時間を１時間で割った値を掛けることとなる。例えば、ベース値が１．０であって、負荷量の補正値が２．８であって、降車時間が１時間３０分である場合の負荷量は、３．８の１．５倍である５．７と算出することができる。これにより、同じ条件であっても、ベース値が１．０の乗員とベース値が０の乗員とで算出される負荷量を変化させることができる。したがって、より個人の好みを適切に反映した空調制御を提供しやすい。
【００５８】
上述した実施形態によると、空調制御部６７は、位置情報と周辺環境情報とに基づいて算出された負荷量が大きいほど空調ユニット１０において駐車直前の空調設定からの設定変更量を大きくして空調運転を行っている。このため、乗員の降車後における活動を推定し、乗員のニーズに合わせた空調運転を自動で判断して提供できる。
【００５９】
負荷算出部６４は、位置情報から乗員の降車後の活動が屋外活動であるか否かを判断し、屋外活動であると判断した場合と屋外活動でないと判断した場合とで、負荷量の算出方法を変えている。言い換えると、屋外活動であると判断した場合には周辺環境情報に基づいて負荷量を算出し、屋外活動でないと判断した場合には周辺環境情報を考慮せずに負荷量を算出する。このため、屋外活動である場合と屋外活動でない場合とのそれぞれで負荷量を適正な方法で算出できる。したがって、屋外活動である場合と屋外活動でない場合とで同じ算出方法を採用した場合に比べて、精度よく負荷量を算出可能である。すなわち、外気温の低い冬に屋内で運動強度の高い激しい活動を行った場合など、空調温度を下げる設定変更を選択すべきところ、外気温が低いことに依存して空調温度を上げる設定変更を選択してしまうといった事態を低減しやすい。
【００６０】
負荷算出部６４は、車両２の駐車位置があらかじめ設定された屋外活動領域内である場合には乗員の降車後における活動を屋外活動であると判断し、それ以外の場合には屋外活動でないと判断する。このため、屋外活動でないにもかかわらず、屋外活動であるとみなして空調設定を変更しようとすることを抑制できる。
【００６１】
負荷算出部６４は、駐車時間が長いほど負荷量が大きくなるように補正を加えて負荷量を算出している。このため、長時間にわたって屋外活動をしてから車両２に乗車した場合に、短時間の屋外活動で車両２に乗車した場合に比べて空調設定の変更が大きく反映されやすい。言い換えると、例えば降車後に長時間に及ぶ屋外活動を行ったことで長時間にわたって低い外気温にさらされていた場合には、外気温等の条件が同じで降車時間のみが短い場合に比べて、目標温度と風量レベルの変更量が高く設定されやすい。したがって、乗員の降車後の活動時間に応じて適切な空調設定の変更量を選択しやすい。
【００６２】
負荷算出部６４は、乗員の降車後の活動量が多いほど負荷量が大きくなるようにプラスの補正を加えて負荷量を算出している。このため、活動量を取得せずに外気温や日射量などの車両２がさらされる環境要因のみに基づいて空調設定の変更を行う場合に比べて、精度よく乗員のニーズに合った空調設定の変更を行うことができる。
【００６３】
空調制御部６７は、空調制御部６７による空調設定の変更後、乗員によって空調設定が修正された場合には、乗員による空調設定の修正操作を記憶している。このため、次回以降同様の負荷量となった場合に、乗員による修正操作を加味して空調設定を変更できる。また、乗員の空調の好みを推測してより精度よく乗員の好みに合った空調運転を提供しやすい。
【００６４】
空調制御部６７は、乗員に対して空調設定の変更可否を確認する問い合わせ部６６を備え、乗員によって設定変更が容認された場合には設定変更を行い、乗員によって設定変更が容認されなかった場合には設定変更を行わない。このため、設定変更の内容が乗員の望まない設定であった場合には設定変更を行わず、乗員が容認した設定変更のみを実行することができる。したがって、乗員の好みに合わせた空調運転を提供しやすい。
【００６５】
乗員に対して設定変更を行おうとする内容を報知している。このため、具体的にどのような設定変更がなされるかを乗員が確認しやすい。したがって、設定変更の内容を乗員が把握しておらず、乗員が空調設定を修正操作することによって、空調設定を乗員の意図していない温度に誤って変更してしまうといった事態を防止しやすい。
【００６６】
屋外活動でないと判断した場合には、運動強度によらず設定変更なしで空調制御を実行するようにしてもよい。これによると、屋外活動でない場合には、負荷量を算出することがない。このため、屋外活動に比べて負荷量が上がりにくい屋内活動の場合に、負荷量の算出や設定変更の許可を問い合わせる手間を省略して、スムーズに通常の空調制御を開始することができる。
【００６７】
乗員の体温を測る熱センサを備えて、乗員の活動量の推定を補正してもよい。これによると、降車後に激しい運動を行った後、十分な休憩を取ってから乗車した場合などであっても、乗車時点で乗員に影響を与えている活動量を精度よく推定することができる。したがって、乗員が求める空調を精度よく推定して、空調設定を適切に変更しやすい。
【００６８】
乗車前の事前空調を行う車両用空調システム１において、降車後の負荷量から事前空調の空調設定を変更するようにしてもよい。ここで、事前空調とは、乗員が乗車する前から空調運転を開始し、車内を適切な空調状態にする空調運転である。プラスの負荷量が大きい場合には、事前空調においてあらかじめ設定されていた目標温度をより低く変更し、マイナスの負荷量が大きい場合には事前空調においてあらかじめ設定されていた目標温度をより高く変更する。これによると、乗員が車両２に乗り込んだ瞬間から適切な空調環境を提供できる。
【００６９】
ステップＳ１０３を省略して、個人情報の１つである運動強度を取得せずに位置情報と周辺環境情報のみから負荷量を算出してもよい。すなわち、運動強度に応じた負荷量の補正値を０として負荷量を算出する。これによると、乗員が降車後の活動を活動量計９９で測定していない場合や、位置情報からではどのような活動をしているかが不明で運動強度を推定できない場合であっても、空調の設定変更を行うことができる。
【００７０】
第２実施形態
この実施形態は、先行する実施形態を基礎的形態とする変形例である。この実施形態では、花粉についての負荷量に応じて空調設定を変更する。
【００７１】
図１１において、車両用空調システム１は花粉センサ２２４を備えている。花粉センサ２２４は、車両２の周りに飛散している花粉量を測定するセンサである。
【００７２】
花粉センサ２２４は、埃などの微粒子を含んだ空気の中から花粉を識別して検出するセンサであって、単位面積あたりの花粉の個数を測定する装置である。この花粉センサ２２４によって、車両２の駐車位置の周辺における花粉の飛散量を測定する。花粉の飛散量は花粉量情報を提供する。
【００７３】
周辺環境取得部６２は、花粉センサ２２４から車両２の周辺環境情報の１つである花粉の飛散量を取得する。個人情報取得部６３は、乗員の個人情報の１つである花粉症患者であるか否かの情報を取得する。個人情報取得部６３は、花粉症患者であるか否かの情報に加えてアレルギー反応を示す花粉の種類や花粉症の重症度などの情報についても取得するようにしてもよい。
【００７４】
図１２に示すフローチャートは、空調ＥＣＵ６０が実行する処理を示すフローチャートである。ステップＳ１０１で車両２の駐車位置を示す位置情報を取得した後、ステップＳ２０２に進む。
【００７５】
ステップＳ２０２では、周辺環境情報の１つである花粉の飛散量を取得する。花粉の飛散量は、花粉センサ２２４で測定した花粉の飛散量を花粉センサ２２４から取得する。ただし、周辺環境情報の１つである花粉の飛散量の取得は車両２に搭載されている花粉センサ２２４を用いなくてもよい。例えば、無線通信部４２を用いてインターネット経由で駐車位置における花粉の飛散量の情報を取得するようにしてもよい。周辺環境情報として花粉の飛散量を取得した後、ステップＳ２０３に進む。
【００７６】
ステップＳ２０３では、個人情報の１つとして花粉症患者であるか否かの情報を取得する。花粉症患者であるか否かの情報は、乗員の所持する携帯端末と無線通信部４２との無線通信によって該当する情報を取得する。ただし、花粉症患者であるか否かの情報の取得方法は上述した方法に限られない。例えば、乗員による操作部３３の操作によって花粉症患者であるか否かを入力させるようにしてもよい。花粉症患者であるか否かの情報を取得した後、ステップＳ２１１に進む。
【００７７】
ステップＳ２１１では、乗員の降車後における活動が屋外活動であるか否かを判断する。屋外活動であると判断した場合には、降車後の屋外活動によって花粉の影響にさらされていると判断してステップＳ２１２に進む。一方、屋外活動でないと判断した場合には、降車後の活動によって花粉の影響にさらされていないと判断してステップＳ１２５に進む。
【００７８】
ステップＳ２１２では、乗員が花粉症患者であるか否かを判断する。乗員が花粉症患者である場合には、空調運転において花粉対策を行う可能性があると判断してステップＳ２１３に進む。一方、乗員が花粉症患者でない場合には、空調運転において花粉対策を行う必要性がないと判断してステップＳ１２５に進む。
【００７９】
ステップＳ２１３では、花粉の負荷量に応じた空調設定の変更量を算出する。降車後の活動中に測定した花粉量が所定量以上である場合には、花粉の飛散量が多く花粉の負荷量が大きいと判断して空調設定に変更を加えて花粉モードで空調運転を実行する。一方、降車後の活動中に測定した花粉量が所定量未満である場合には、花粉の飛散量が少なく花粉の負荷量が小さいと判断して空調設定に変更を加えず通常モードで空調運転を実行する。ここで、花粉の所定量とは、例えば３０個／ｃｍ２である。すなわち、花粉量が３０個／ｃｍ２以上である場合には、後述する花粉モードに変更するため空調設定の設定変更量が存在する。一方、花粉量が３０個／ｃｍ２未満である場合には、後述する花粉モードに変更しないため空調設定の設定変更量が存在しない。
【００８０】
花粉モードにおいては、風の吹き出し口をフェース吹き出し口に設定するとともに、空調運転において外気を導入しない内気循環モードで空調運転を行う。フェース吹き出し口から風を吹き出すことにより、乗員の顔周辺に付着した花粉を風で飛ばすことで除去する。内気循環モードで空調運転を行うことにより、外気に含まれる花粉を車内に導入することを抑制した状態で空調を提供する。ここで、花粉量が多い場合には風量レベルを上げるなど、花粉量に応じて花粉モードでの制御内容を変更してもよい。花粉量に応じた空調設定の変更量を算出した後、ステップＳ１２２に進む。
【００８１】
ステップＳ１２２では、空調設定の変更量があるか否かを判断する。言い換えると、花粉モードでの空調運転を行う必要があるか否かを判断する。花粉モードを行う必要がある場合にはステップＳ１２３に進む。一方、花粉モードを行う必要がない場合にはステップＳ１２５に進む。
【００８２】
ステップＳ１２３では、空調設定の変更許可があるか否かを判断する。言い換えると、花粉モードでの空調運転を行う許可があるか否かを判断する。乗員によって花粉モードを行うことが許可されている場合にはステップＳ１２４に進む。一方、乗員によって花粉モードを行うことが許可されていない場合にはステップＳ１２５に進む。
【００８３】
ステップＳ１２４では、設定変更ありで空調制御を実行する。言い換えると、花粉モードで空調制御を実行する。その後、乗員による空調設定の修正操作が行われるまでの間、花粉モードでの空調制御を維持する。あるいは、フロントガラスの曇り防止の目的などにより強制的に外気モードに切り替えられるなど、他の要因で空調設定が変更されるまでの間、花粉モードでの空調制御を維持する。ただし、花粉モードの継続時間をあらかじめ設定しておき、設定した時間を経過後は、花粉モードから通常モードに切り替えるなどしてもよい。一方、ステップＳ１２５では、空調設定の変更なしの状態で空調制御を実行する。すなわち、花粉モードでの空調運転を行わず、駐車前の空調設定と同じ空調設定で空調運転を行う。
【００８４】
上述した実施形態によると、空調制御部６７は、花粉量があらかじめ設定された所定量以上である場合に、花粉モードで空調運転を行う。このため、花粉の飛散量が多い場所で屋外活動をするなどして花粉の影響にさらされた乗員に対して、花粉を除去するような適切な空調を提供できる。一方、花粉の飛散量が少ないなど花粉の影響の少ない場合には、乗員に対して変更を加えない通常通りの適切な空調を提供できる。言い換えると、花粉対策として乗員が求める空調を推定して空調設定を変更可能な車両用空調システム１を提供できる。
【００８５】
他の実施形態
上述した制御の処理は、車両２に搭載された空調ＥＣＵ６０で全ての処理を行わなくてもよい。例えば、基地局３を介した無線通信を用いて、車両２が取得した情報をサーバに送信し、サーバで負荷の算出などの処置を行うなどしてもよい。これによると、空調ＥＣＵ６０で行う処理を簡略化できる。また、屋外活動領域情報が記憶されている記憶部５０を、車両２に備えるのではなく、サーバに備えてもよい。これによると、記憶部５０として機能するサーバに大量の屋外活動領域情報のデータを記憶させることで、屋外活動か否かの判断を精度よく行うことができる。
【００８６】
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、１つの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味および範囲内での全ての変更を含むものと解されるべきである。
【符号の説明】
【００８７】
１  車両用空調システム、  ２  車両、  ３  基地局、  ４  航法衛星、  １０  空調ユニット、  ２１  内気センサ、  ２２  外気センサ、  ２３  日射センサ、  ３０  ＨＭＩ部、  ３１  スピーカ、  ３２  表示装置、  ３３  操作部、  ４０  無線部、  ４１  ＧＮＳＳ受信部、  ４２  無線通信部、  ６０  空調ＥＣＵ、  ６１  位置取得部、  ６２  周辺環境取得部、  ６３  個人情報取得部、  ６４  負荷算出部、  ６５  空調変更算出部、  ６６  問い合わせ部、  ６７  空調制御部、  ９９  活動量計、  ２２４  花粉センサ
【図１】
2019196035.tif 000003
【図２】
2019196035.tif 000004
【図３】
2019196035.tif 000005
【図４】
2019196035.tif 000006
【図５】
2019196035.tif 000007
【図６】
2019196035.tif 000008
【図７】
2019196035.tif 000009
【図８】
2019196035.tif 000010
【図９】
2019196035.tif 000011
【図１０】
2019196035.tif 000012
【図１１】
2019196035.tif 000013
【図１２】
2019196035.tif 000014